【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
検体中の相を分離するためのマイクロ流体デバイス（１００）であって、前記マイクロ流体デバイスは、対象相を獲得するための捕捉エリア（１１０）を備え、前記捕捉エリアは、２つの側で、共に前記マイクロ流体デバイスに統合された第１のダクト（１２０）及び第２のダクト（１３０）にそれぞれ接続され、前記マイクロ流体デバイス（１００）は、さらに、
−前記検体を前記捕捉エリア（１１０）に取り込んで前記対象相を分離するための、前記第１のダクト（１２０）に接続された第１の統合入力部（Ｉ１）を備え、
−前記検体の残りが前記捕捉エリア（１１０）を通って流動したらそれを排出するための、前記第２のダクト（１３０）に接続された第１の統合出力部（Ｕ１）を備え、
−分離された相を第２の統合出力部（Ｕ２）を介して前記デバイスから溶出するための、前記第１のダクト（１２０）または前記第２のダクト（１３０）から選択される選択されたダクトに接続された第２の統合出力部（Ｕ２）を有し、
−前記分離された相を前記デバイスから送出することができるようにポンプに接続するための、前記選択されたダクトではない第１のダクト（１２０）または第２のダクト（１３０）に接続された第２の統合入力部（Ｉ２）を有し、
−前記選択されたダクト上の前記第２の統合出力部（Ｕ２）の接続部と前記マイクロ流体捕捉エリア（１１０）との間に位置する接続部を介して、前記選択されたダクトに同じく接続され、それにより前記相の分離及び前記相の溶出中の液体流が制御され得る、第３の統合入力部（Ｉ３）を有し、
前記第３の統合入力部（Ｉ３）は、前記マイクロ流体デバイスが動作している時、及び前記対象相の溶出中、回路において、前記第３の統合入力部（Ｉ３）が前記第１のダクトにある場合は前記第１の統合入力部（Ｉ１）に、または前記第３の統合入力部（Ｉ３）が前記第２のダクト（１３０）にある場合は前記第１の統合出力部（Ｕ１）に接続され、したがって、溶出中に前記第１の統合入力部（Ｉ１）または前記第１の統合出力部（Ｕ１）それぞれによる検体の損失を防止することを特徴とする、マイクロ流体デバイス（１００）。
【請求項２】
前記第３の統合入力部（Ｉ３）は、前記マイクロ流体デバイスが動作している時、及び前記対象相の分離中、前記選択されたダクトにおいて反対圧力を生成するように構成され、前記第２の統合出力部（Ｕ２）には流動が不可能である、請求項１に記載のマイクロ流体デバイス（１００）。
【請求項３】
前記第２の統合出力部（Ｕ２）は、前記第１のダクト（１２０）に接続され、前記マイクロ流体デバイス（１００）は、動作している時、分離及び注入中の流動方向が反対であるように構成される、請求項１または２に記載のマイクロ流体デバイス（１００）。
【請求項４】
前記第２の統合出力部（Ｕ２）は、前記第２のダクト（１３０）に接続され、前記マイクロ流体デバイス（１００）は、動作している時、分離及び溶出中に流動方向が同じであるように構成される、請求項１または２に記載のマイクロ流体デバイス（１００）。
【請求項５】
選択されていないダクトに第４の統合入力部（Ｉ４）を接続している、請求項１から４のいずれか一項に記載のマイクロ流体デバイス（１００）。
【請求項６】
前記第２の統合出力部（Ｕ２）は、前記分離された相をこの出力部を介して検出器または分析カラムに溶出するように構成され、前記第２の統合入力部（Ｉ２）は、前記分離された相を前記検出器または前記分析カラムに送出することができるようにポンプに接続される、請求項１から５のいずれか一項に記載のマイクロ流体デバイス（１００）。
【請求項７】
少なくとも前記第１及び前記第２の統合入力部（Ｉ１、Ｉ２）は、ポンプシステムに接続するように構成される、請求項１から６のいずれか一項に記載のマイクロ流体デバイス（１００）。
【請求項８】
前記ポンプシステムにより、線流速（Ｓ１、Ｓ２）が制御可能である、請求項１から７のいずれか一項に記載のマイクロ流体デバイス（１００）。
【請求項９】
前記ポンプシステムにより、及び前記デバイスの固有流体特性を考慮することにより、線流速（Ｓ１、Ｓ２）が制御可能である、請求項１から８のいずれか一項に記載のマイクロ流体デバイス（１００）。
【請求項１０】
少なくとも２つの６方向弁、または７方向以上の弁により、外部入力部及び出力部が実装される、請求項１から９のいずれか一項に記載のマイクロ流体デバイス（１００）。
【請求項１１】
前記入力部及び出力部への外部接続は、少なくとも１つの１０方向弁を使用して実装される、請求項１から９のいずれか一項に記載のマイクロ流体デバイス（１００）。
【請求項１２】
前記相を獲得するように構成されるピラー構造、一体型相、充填材料が提供された、請求項１から１１のいずれか一項に記載のマイクロ流体デバイス（１００）。
【請求項１３】
前記第１の統合入力部（Ｉ１）を介して前記検体を投入するためのポンプを備え、前記第１の統合出力部（Ｕ１）を介して排出された検体の残りを収集するための廃棄物収集部と、２つの前記統合出力部（Ｕ２）上の前記分析カラムへの連結部と、前記第２の統合入力部（Ｉ２）を介して前記相を前記分析カラムに送出するための分析ポンプとを備える、請求項１から１２のいずれか一項に記載のマイクロ流体デバイス（１００）。
【請求項１４】
分析カラムが、前記捕捉エリアと同じマイクロ流体基板に統合される、請求項１から１３のいずれか一項に記載のマイクロ流体デバイス（１００）。
【請求項１５】
請求項１から１４のいずれか一項に記載のマイクロ流体デバイス（１００）を備えるクロマトグラフィーシステム。
【請求項１６】
クロマトグラフィー手順における固定相としての、請求項１から１４のいずれか一項に記載のマイクロ流体デバイス（１００）の使用。
【請求項１７】
請求項１から１４のいずれか一項に記載の、検体中の相を分離するためのマイクロ流体デバイス（１００）を操作するための方法であって、
−前記第１の統合入力部（Ｉ１）を介した入力及び前記第１の統合出力部（Ｕ１）を介した出力により、前記マイクロ流体捕捉エリア（１１０）において相を捕捉することであって、前記検体の溶出を防止するために、前記第２の統合出力部（Ｕ２）が連結されるチャネルに反対圧力が提供される、捕捉することと、
−前記第２の統合入力部（Ｉ２）を介した前記第２の統合出力部（Ｕ２）への送出により、前記分離された相を溶出することであって、前記第１の統合出力部（Ｉ１）または前記第１の統合出力部（Ｕ１）による前記分離された相の損失は、回路において、前記第３の統合入力部（Ｉ３）を使用して前記第１の統合入力部（Ｉ１）または前記第１の統合出力部（Ｕ１）を閉鎖することにより防止され、一方で、前記第３の統合入力部（Ｉ３）は、回路において、前記第３の統合入力部（Ｉ３）が前記第１のダクトにある場合は前記第１の統合入力部（Ｉ１）に、または前記第３の統合入力部（Ｉ３）が前記第２のダクト（１３０）にある場合は前記第１の統合出力部（Ｕ１）に接続され、したがって、溶出中に前記第１の統合入力部（Ｉ１）または前記第１の統合出力部（Ｕ１）それぞれによる検体の損失を防止する、溶出することと
を含む方法。
【請求項１８】
動作モードにおいて前記デバイス（１００）を通して双方向に流動するように、少なくとも２つの入力部に接続されたポンプシステムを制御することを含む、請求項１７に記載の方法。
【請求項１９】
様々な線流速（Ｓ１、Ｓ２）を独立して制御することを含む、請求項１８に記載の方法。